(57)【要約】【課題】移動通信端末機において、個人と個人との間のマルチメディアコンテンツの送受信時にマルチメディアコンテンツの著作者権限を保護することができるデジタルコンテンツに関する権限管理装置及び方法を提供する。【解決手段】移動通信端末機におけるデジタルコンテンツ権限管理装置であって、所定の受信側に伝送しようとするデジタルコンテンツを選択し、選択されたデジタルコンテンツに関する使用権限を生成して、前記デジタルコンテンツと前記使用権限を受信側に伝送するデジタルコンテンツ権限管理メッセージ送信機と、前記デジタルコンテンツと前記使用権限を受信して前記使用権限を解釈し、前記解釈された使用権限によって前記コンテンツを利用するデジタルコンテンツ権限管理メッセージ受信機と、を含む。【選択図】図２
2006146903.tif 000002
【特許請求の範囲】
【請求項１】
移動通信端末機におけるデジタルコンテンツ権限管理装置であって、
所定の受信側に伝送しようとするデジタルコンテンツを選択し、選択されたデジタルコンテンツに関する使用権限を生成して、前記デジタルコンテンツと前記使用権限を受信側に伝送するデジタルコンテンツ権限管理メッセージ送信機と、
前記デジタルコンテンツと前記使用権限を受信して前記使用権限を解釈し、前記解釈された使用権限によって前記コンテンツを利用するデジタルコンテンツ権限管理メッセージ受信機と、を含むこと
を特徴とする装置。
【請求項２】
前記デジタルコンテンツ権限管理メッセージ送信機は、前記移動通信端末機のデジタルコンテンツの中で所定の受信側に伝送しようとするデジタルコンテンツを選択するコンテンツ選択部と、
前記選択されたデジタルコンテンツを特定のコンテンツフォーマットでエンコーディングするコンテンツエンコーディング部と、
前記選択されたデジタルコンテンツに関する使用権限情報を生成する使用権限情報生成部と、
前記エンコーディングされたデジタルコンテンツと、前記生成された使用権限情報と、を利用してデジタルコンテンツ権限管理メッセージを生成するデジタル権限管理生成部と、
前記デジタルコンテンツ権限管理メッセージを前記受信側に伝送する送信部と、を含むこと
を特徴とする請求項１に記載の装置。
【請求項３】
前記デジタル権限管理メッセージの伝送方式がコンテンツ及び使用権限分離方式である場合には、前記デジタルコンテンツメッセージと前記使用権限メッセージとを各々生成して別に伝送し、前記デジタル権限管理メッセージの伝送方式がコンテンツ及び使用権限結合方式である場合には、前記デジタルコンテンツと前記使用権限情報を一つのデジタル権限管理メッセージで結合して伝送する使用権限エージェントをさらに含むことを特徴とする請求項２に記載の装置。 
【請求項４】
前記コンテンツ及び使用権限分離伝送方式の場合、受信側からの使用権限要請メッセージを受信する使用権限要請メッセージ受信部をさらに含むことを特徴とする請求項３に記載の装置。 
【請求項５】
前記デジタルコンテンツ権限管理メッセージ受信機は、前記デジタルコンテンツと前記使用権限を受信する受信部と、
前記受信された使用権限を分析して解釈する使用権限分析部と、
前記解釈された使用権限によって前記受信されたデジタルコンテンツを利用するコンテンツアプリケーションと、を含むこと
を特徴とする請求項１に記載の装置。
【請求項６】
前記デジタルコンテンツ及び前記使用権限が結合されたデジタル権限管理メッセージが受信されると、そのメッセージを分析して前記デジタルコンテンツと前記使用権線情報とを分離して出力し、前記デジタルコンテンツ及び前記使用権限が各々別のメッセージに受信されると、そのメッセージを各々分析する、デジタル権限管理メッセージ分析部をさらに含むことを特徴とする請求項５に記載の装置。 
【請求項７】
前記使用権限情報は、デジタルコンテンツの利用を制限する制限条件情報を含むことを特徴とする請求項１乃至６のいずれか１項に記載の装置。
【請求項８】
前記デジタルコンテンツの利用を制限する条件情報は、コンテンツの使用回数と、コンテンツの伝送回数と、コンテンツの使用期間と、を含むことを特徴とする請求項７に記載の装置。
【請求項９】
移動通信端末機におけるデジタルコンテンツ権限管理方法であって、
送信側端末機が伝送しようとするデジタルコンテンツを選択し、選択されたデジタルコンテンツに関する使用権限を生成して、前記デジタルコンテンツと前記使用権限を受信側に伝送する過程と、
前記受信側端末機が前記デジタルコンテンツと前記使用権限を受信して前記使用権限を解釈し、前記解釈された使用権限によって前記コンテンツを利用する過程と、を含むこと
を特徴とする方法。
【請求項１０】
前記送信側端末機が前記デジタルコンテンツと前記使用権限を受信側に伝送する過程は、前記送信側端末機が前記受信側端末機に伝送しようとするデジタルコンテンツを選択する過程と、
前記選択されたデジタルコンテンツを特定のコンテンツフォーマットでエンコーディングする過程と、
前記選択されたデジタルコンテンツに関する使用権限情報を生成する過程と、
前記エンコーディングされたデジタルコンテンツと前記生成された使用権限情報を利用してデジタルコンテンツ権限管理メッセージを生成する過程と、
前記デジタルコンテンツ権限管理メッセージを前記受信側端末機に伝送する過程と、を含むこと
を特徴とする請求項９に記載の方法。 
【請求項１１】
前記エンコーディングされたデジタルコンテンツと前記生成された使用権限情報を利用してデジタルコンテンツ権限管理メッセージを生成する過程は、前記デジタルコンテンツを伝送しようとする方式が、コンテンツ及び使用権限分離伝送方式であるかコンテンツ及び使用権限結合伝送方式であるかを判断する過程と、
前記デジタルコンテンツを伝送しようとする方式が前記コンテンツ及び使用権限分離伝送方式であれば、前記デジタルコンテンツメッセージと前記使用権限メッセージを各々別に生成する過程と、
前記デジタルコンテンツを伝送しようとする方式が前記コンテンツ及び使用権限結合伝送方式であれば、前記デジタルコンテンツと前記使用権限情報とを結合したデジタル権限管理メッセージを生成する過程と、を含むこと
を特徴とする請求項１０に記載の方法。
【請求項１２】
前記受信側端末機が前記デジタルコンテンツと前記使用権限を受信して前記コンテンツを利用する過程は、前記デジタルコンテンツと前記使用権限を受信して前記使用権限を解釈する過程と、
前記解釈された使用権限によって前記デジタルコンテンツを利用する過程と、を含むこと
を特徴とする請求項９に記載の方法。
【請求項１３】
前記使用権限情報は、デジタルコンテンツの利用を制限する制限条件情報を含むことを特徴とする請求項９乃至１２のいずれか１項に記載の方法。
【請求項１４】
前記デジタルコンテンツの利用を制限する制限条件情報は、コンテンツの使用回数と、コンテンツの伝送回数と、コンテンツの使用期間と、を含むことを特徴とする請求項１３に記載の方法。
【発明の詳細な説明】
【技術分野】
【０００１】
本発明は、移動通信端末機に関し、特に、移動通信端末機におけるデジタルコンテンツ権限管理装置及び方法に関する。
【背景技術】
【０００２】
第３世代移動通信システムが伝播され、かつ、高速データの送受信が可能になることによって、大容量のマルチメディアデータを送受信することができる移動通信端末機の普及が一般化されている。これによって、移動通信端末機は、ベル音、写真、絵、音楽及び動画等のようなマルチメディアデータを自体製作し、製作されたマルチメディアファイルを他のユーザーの移動通信端末機に送信して他のユーザーがそのマルチメディアファイルを利用するようにしている。また、サービス事業者がマルチメディアを利用したコンテンツを生成して各ユーザーに有料で提供すれば、各ユーザーがサービス事業者に利用料を支払って希望するコンテンツを受信して利用するサービスが拡散されている。このようなサービスは、初期には複製防止技術に基づいて実行されたが、現在はユーザーの権限情報に関する柔軟性と利便性に基づいたＤＲＭ(Ｄｉｇｉｔａｌ  Ｒｉｇｈｔ  Ｍａｎａｇｅｍｅｎｔ：デジタルコンテンツ権利管理)技術に発展している。
【０００３】
ＤＲＭ技術は、マルチメディアコンテンツの権限を保護するための技術である。このようなＤＲＭ技術の具現方式には、フォーワード−ロック(Ｆｏｒｗａｒｄ−Ｌｏｃｋ)方式と、コンバインドデリバリー(ｃｏｍｂｉｎｅｄ  ｄｅｌｉｖｅｒｙ)方式と、セパレートデリバリー(ｓｅｐａｒａｔｅ  ｄｅｌｉｖｅｒｙ)方式の３種類の方式がある。
【０００４】
１．フォーワード−ロック方式は、移動通信端末機のユーザーが自分が受信したマルチメディアコンテンツを自分だけが使うようにする技術として、受信したマルチメディアコンテンツを修正するか他のユーザーの端末機へ伝達(ｆｏｒｗａｒｄ)することが禁止される。このようなフォーワード−ロック方式では、マルチメディアコンテンツの保安のための別の認証キーが存在しない。
【０００５】
２．コンバインドデリバリー方式では、サービス事業者がマルチメディアコンテンツを生成する際に、マルチメディアコンテンツと認証キーを一緒に結合して(ｂｉｎｄｉｎｇ)ＤＲＭメッセージを生成して伝送する。これによって、移動通信端末機は、サービス事業者からＤＲＭメッセージを受信してＤＲＭメッセージに含まれた認証キーの権利によりマルチメディアコンテンツを使用する。
【０００６】
３．セパレートデリバリー方式では、サービス事業者がマルチメディアコンテンツと該当認証キーを別のメッセージで構成して提供する。これによって、移動通信端末機は、サービス事業者からマルチメディアコンテンツを受信してこれを利用する際に、別に構成された認証キーを別に受信しなければならない。このようなセパレートデリバリー方式において、マルチメディアコンテンツは、ＤＣＦ(ＤＲＭ Ｃｏｎｔｅｎｔｓ  Ｆｏｒｍａｔ)に変形及び暗号化され、これに関する認証キーは、ＣＥＫ(Ｃｏｎｔｅｎｔｓ  Ｅｎｃｒｙｐｔｉｏｎ  Ｋｅｙ)またはＲＯ(Ｒｉｇｈｔ  ｏｂｊｅｃｔ)という別のメッセージで構成する。
【０００７】
上述したＤＲＭ技術では、サービス事業者はサーバーを通じて発生したコンテンツ及び認証キーをＷａｐダウンロード方式またはＷａｐ  Ｐｕｓｈ方式により個人の移動通信端末機に提供することにより事業を実施する。しかし、このような方式は、サービス事業者により生成されたマルチメディアコンテンツについてだけ著作者権限が保護される問題点がある。すなわち、個人と個人との間のマルチメディアコンテンツの送受信時にはそのコンテンツの著作者権限を保護することができる方法がない。
【発明の開示】
【発明が解決しようとする課題】
【０００８】
本発明は、上述したような従来技術の問題点を解決するためになされたもので、その目的は、移動通信端末機において、個人と個人との間のマルチメディアコンテンツの送受信時にマルチメディアコンテンツの著作者権限を保護することができるデジタルコンテンツに関する権限管理装置及び方法を提供することにある。
【０００９】
本発明の他の目的は、移動通信端末機において、個人ユーザーが自分のコンテンツに使用権限を付与して伝送することにより他の端末機ユーザーがコンテンツの使用権限によりそのコンテンツを利用するようにするデジタルコンテンツに関する権限管理装置及び方法を提供することにある。
【課題を解決するための手段】
【００１０】
上記課題を解決するための本発明は、移動通信端末機におけるデジタルコンテンツ権限管理装置であって、所定の受信側に伝送しようとするデジタルコンテンツを選択し、選択されたデジタルコンテンツに関する使用権限を生成して、前記デジタルコンテンツと前記使用権限を受信側に伝送するデジタルコンテンツ権限管理メッセージ送信機と、前記デジタルコンテンツと前記使用権限を受信して前記使用権限を解釈し、前記解釈された使用権限によって前記コンテンツを利用するデジタルコンテンツ権限管理メッセージ受信機と、を含む。
【００１１】
また、本発明は、移動通信端末機におけるデジタルコンテンツ権限管理方法であって、送信側端末機が伝送しようとするデジタルコンテンツを選択し、選択されたデジタルコンテンツに関する使用権限を生成して、前記デジタルコンテンツと前記使用権限を受信側に伝送する過程と、前記受信側端末機が前記デジタルコンテンツと前記使用権限を受信して前記使用権限を解釈し、前記解釈された使用権限によって前記コンテンツを利用する過程と、を含む。
【発明の効果】
【００１２】
本発明によれば、各個人ユーザーが自分ばかりのコンテンツに著作権を付与するようにして個人マルチメディアコンテンツの著作者権限を保護することができる効果がある。
【００１３】
また、各々の個人ユーザーが自分のコンテンツに使用権限を付与して伝送することにより他のユーザーが該当コンテンツを使用権限により利用するようにして、自分のコンテンツの使用について権利を行使することができる効果がある。
【００１４】
また、サービス事業者によるコンテンツ伝送サービスではない個人の著作権が保護される個人間のコンテンツ伝送サービスを提供することにより、メッセンジャーアプリケーションの利用を活性化させる効果がある。
【発明を実施するための最良の形態】
【００１５】
以下、本発明の好適な一実施形態について添付図面を参照しつつ詳細に説明する。下記の説明において、本発明の要旨のみを明確にする目的で、関連した公知機能又は構成に関する具体的な説明は省略する。
【００１６】
図１は、本発明の実施形態による移動通信端末機間、すなわち、送信側端末機と受信側端末機との間のデジタルコンテンツ送受信システムを簡単に示した構成図である。
【００１７】
図１を参照すれば、本発明の実施形態による移動通信端末機の送信側端末機２及び受信側端末機４は、本発明の実施形態によるデジタルコンテンツ権限管理装置を具備する。本発明の実施形態によれば、デジタルコンテンツ権限管理装置は、ＤＲＭメッセージ送信機及びＤＲＭメッセージ受信機を含む。送信側端末機２は、ＤＲＭメッセージ送信機を通じて自分が所有したデジタルコンテンツの中で著作権を保護しようとするコンテンツについて使用権限(ＲＯ：Ｒｉｇｈｔ  Ｏｂｊｅｃｔ)を生成し、デジタルコンテンツと使用権限(ＲＯ)を無線網８を介して受信側端末機４に伝送する。受信側端末機４は、ＤＲＭ受信機を通じて送信側端末機２からデジタルコンテンツと使用権限を受信して使用権限を解釈し、解釈された使用権限によってそのコンテンツを利用する。この時、使用権限には、コンテンツの使用回数、コンテンツの伝送回数、コンテンツの使用期間などのようなコンテンツ利用に関する制限条件情報が含まれている。これによって、送信側端末機２のユーザーは、使用権限を利用して自分が保護したいコンテンツを他人の受信側端末機４に伝送した後にもそのコンテンツの使用について権利を行使することができるようになる。
【００１８】
以下、本発明の実施形態による移動通信端末機に具備されたデジタルコンテンツ権限管理装置のＤＲＭメッセージ送信機に関する構成及び動作について説明する。
【００１９】
図２は、本発明の実施形態によるＤＲＭメッセージ送信機を示すブロック構成図である。図２を参照すれば、本発明の実施形態によるＤＲＭメッセージ送信機は、コンテンツ選択部２０２と、コンテンツエンコーディング部２０４と、ＲＯエージェント２０６と、ＲＯ情報生成部２０８と、ＤＲＭメッセージ生成部２１０と、コンテンツメッセージ生成部２１２と、ＲＯメッセージ生成部２１４と、送信部２１６と、ＲＯ要請メッセージ受信部２００と、を含む。
【００２０】
コンテンツ選択部２０２は、ユーザーの要求によって移動通信端末機に保存されたコンテンツの中で所定の受信側に送信しようとするコンテンツを選択する。
【００２１】
コンテンツエンコーディング部２０４は、コンテンツ選択部２０２により選択されたコンテンツをエンコーディングする。すなわち、コンテンツエンコーディング部２０４は、コンテンツをＤＣＦ(ＤＲＭ Ｃｏｎｔｅｎｔｓ  Ｆｏｒｍａｔ)のような特定のフォーマットでエンコーディングする。
【００２２】
ＲＯエージェント２０６は、ユーザーの要求によって選択されたコンテンツをどのような方式により伝送するかについてのＤＲＭメッセージ伝送方式を選択する。ＲＯエージェント２０６は、ＤＲＭメッセージ伝送方式をコンテンツ及びＲＯを結合して一回に伝送する結合伝送方式(コンバインドデリバリー方式)と、コンテンツ及びＲＯを別に分離して各々伝送する分離伝送方式(セパレートデリバリー方式)との中でいずれの一つの伝送方式を選択することができる。このようなＲＯエージェント２０６は、コンテンツ及びＲＯ結合伝送方式が選択された場合には、コンテンツに関するＲＯ情報とエンコーディングされたコンテンツが結合されたＤＲＭメッセージを伝送し、コンテンツ及びＲＯ分離伝送方式が選択された場合には、エンコーディングされたコンテンツに関するコンテンツメッセージを先に伝送した後、そのコンテンツに関するＲＯ情報についてのＲＯメッセージを伝送する。
【００２３】
ＲＯ情報生成部２０８は、伝送しようとするコンテンツに関するＲＯ情報を生成する。ＲＯ情報は、コンテンツ使用権限としてコンテンツ使用回数、コンテンツ伝送回数、コンテンツ使用期間などのようなコンテンツ利用に関する制限条件情報を含む。
【００２４】
ＤＲＭメッセージ生成部２１０は、コンテンツ及びＲＯ結合伝送方式の場合、コンテンツエンコーディング部２０４からエンコーディングされたコンテンツとＲＯ情報生成部２０８により生成されたＲＯ情報とを結合してＤＲＭメッセージを生成する。
【００２５】
コンテンツメッセージ生成部２１２は、コンテンツ及びＲＯ分離伝送方式の場合、エンコーディングされたコンテンツに関するコンテンツメッセージを生成する。
【００２６】
ＲＯメッセージ生成部２１４は、コンテンツ及びＲＯ分離伝送方式の場合、該当コンテンツのＲＯ情報に関するＲＯメッセージを生成する。
【００２７】
送信部２１６は、コンテンツ及びＲＯ結合伝送方式である場合には、ＤＲＭメッセージを受信側に伝送し、コンテンツ及びＲＯ分離伝送方式である場合には、コンテンツメッセージとＲＯメッセージを別に受信側に伝送する。
【００２８】
ＲＯ要請メッセージ受信部２００は、コンテンツ及びＲＯ分離伝送方式の場合、受信側からの予め伝送したコンテンツに関するＲＯ要請メッセージを受信する。これによって、ＲＯエージェント２０６は、予め伝送したコンテンツに関するＲＯ情報を生成してそれについてのＲＯメッセージを伝送する。
【００２９】
図３は、本発明の実施形態によるデジタルコンテンツ権限管理装置のＤＲＭメッセージ送信方法を示すフローチャートである。
【００３０】
図３を参照すれば、ＤＲＭメッセージ送信機は、ステップＳ３０２で、コンテンツ選択部２０２を通じて受信側端末機４に送信しようとするデジタルコンテンツを選択する。そして、ＤＲＭメッセージ送信機は、ステップＳ３０４で、その選択されたコンテンツをＤＣＦ(ＤＲＭ Ｃｏｎｔｅｎｔｓ  Ｆｏｒｍａｔ)のような特定のフォーマットでエンコーディングする。そして、ＤＲＭメッセージ送信機は、ステップＳ３０６で、コンテンツをどのようなＤＲＭ伝送方式により伝送するかを選択する。すなわち、ＤＲＭメッセージ送信機は、ユーザーの要求によってコンテンツ及びＲＯを結合して一回に伝送する結合伝送方式とコンテンツ及びＲＯを別に分離して各々伝送する分離伝送方式との中でいずれの一つの伝送方式を選択する。
【００３１】
もし、コンテンツ及びＲＯ結合伝送方式が選択されると、ＤＲＭメッセージ送信機は、ステップＳ３０８で、伝送するために選択されたコンテンツに関するＲＯ情報を生成する。このとき、ＲＯ情報は、コンテンツ使用権限としてコンテンツの使用回数、コンテンツの伝送回数、コンテンツの使用期間などのようなコンテンツ利用に関する制限条件を含む。このようにＲＯ情報を生成してからＤＲＭメッセージ送信機は、ステップＳ３１０で、エンコーディングされたコンテンツとＲＯ情報を結合してＤＲＭメッセージを生成する。
【００３２】
図４は、本発明の第１の実施形態によるＤＲＭメッセージを示す構成図である。図４では、本発明のコンテンツ及びＲＯ結合伝送方式により構成されたＤＲＭメッセージを図示している。図４を参照すれば、ＤＲＭメッセージには、ＤＲＭ情報４２と、ＲＯ情報４４と、送信者情報４６と、コンテンツ情報４６と、エンコーディングされたコンテンツ４９と、が含まれる。
【００３３】
ＤＲＭ情報４２は、コンテンツ伝送方式情報、すなわち、コンテンツ及びＲＯ結合伝送方式であることを示す情報を含む。ＲＯ情報４４は、コンテンツについての使用権限情報を含む。送信者情報４６は、送信側端末機２の固有番号、電話番号などのような送信側情報を含む。コンテンツ情報４８は、サムネイル(ｔｈｕｍｂｎａｉｌ)またはプレビュー情報を含み、伝送するコンテンツの種類が写真であるか、動画であるか、Ｅ−ｍａｉｌであるかを示すコンテンツ種類情報を含む。そして、エンコーディングされたコンテンツ４９は、特定のフォーマット、例えば、ＤＣＦ形式にエンコーディングされたコンテンツ内容を含む。ＤＲＭメッセージ送信機は、このように構成されたＤＲＭメッセージを生成してから、ステップＳ３１２で、ＤＲＭメッセージを受信側端末機４に伝送する。
【００３４】
一方で、コンテンツ及びＲＯ分離伝送方式が選択されると、ＤＲＭメッセージ送信機は、ステップＳ３１６で、エンコーディングされたコンテンツに関するコンテンツメッセージを生成する。そして、ステップＳ３１８で、コンテンツメッセージを受信側端末機４に伝送する。それでは、受信側端末機４は、コンテンツメッセージを受信してこれを利用する場合にＲＯ情報を要請するようになる。ＤＲＭメッセージ送信機は、ステップＳ３２０で、受信側端末機４からＲＯ情報要請メッセージが受信されたか否かを判断する。もし、受信側端末機４からＲＯ情報要請メッセージが受信されると、ＤＲＭメッセージ送信機は、ＲＯ情報要請メッセージによって、ステップＳ３２２で、予め伝送したコンテンツに関するＲＯ情報を生成する。そして、ステップＳ３２４で、ＲＯ情報に関するＲＯメッセージを生成して受信側端末機４に伝送する。
【００３５】
図５（ａ）及び図５（ｂ）は、本発明の第２の実施形態によるＤＲＭメッセージを示す構成図である。図５（ａ）及び図５（ｂ）では、本発明のコンテンツ及びＲＯ分離伝送方式により構成されたＤＲＭメッセージを図示している。
【００３６】
図５（ａ）及び図５（ｂ）を参照すれば、コンテンツ及びＲＯ分離伝送方式の場合には、コンテンツメッセージとＲＯメッセージが別に構成される。図５（ａ）は、コンテンツメッセージの構成を示し、図５（ｂ）は、ＲＯメッセージの構成を示す。
【００３７】
図５（ａ）に示したように、コンテンツメッセージは、ＤＲＭ情報５２と、送信者情報５６と、コンテンツ情報５８と、エンコーディングされたコンテンツ５９と、を含む。
【００３８】
ＤＲＭ情報５２は、コンテンツ伝送方式情報、すなわち、コンテンツ伝送方式がコンテンツ及びＲＯ分離伝送方式であることを示す情報を含む。送信者情報５６は、送信側端末機２の固有番号、電話番号などのような送信側情報を含む。コンテンツ情報５８は、サムネイル(ｔｈｕｍｂｎａｉｌ)またはプレビュー情報を含み、伝送するコンテンツの種類が写真であるか、動画であるか、Ｅ−ｍａｉｌであるかを示す情報を含む。そして、エンコーディングされたコンテンツ５９は、特定のフォーマット、例えば、ＤＣＦ形式にエンコーディングされたコンテンツ内容を含む。
【００３９】
図５（ｂ）に示したように、ＲＯメッセージは、ＤＲＭ情報５２と、送信者情報５６と、ＲＯ情報５４と、を含む。ＤＲＭ情報及び送信者情報は、上述しなような情報である。ＲＯ情報５４は、コンテンツ使用権限としてコンテンツの使用回数、コンテンツの伝送回数、コンテンツの使用期間などのようなコンテンツ利用に関する制限条件情報を含む。
【００４０】
以下、本発明の実施形態によるデジタルコンテンツ権限管理装置のＤＲＭメッセージ受信機に関する構成及び動作について説明する。
【００４１】
図６は、本発明の実施形態によるデジタルコンテンツ権限管理装置のＤＲＭメッセージ受信機を示すブロック構成図である。
【００４２】
図６を参照すれば、ＤＲＭメッセージ受信機は、受信部６０２と、ＤＲＭメッセージ分析部６０４と、コンテンツデコーディング部６０６と、ＲＯ情報分析部６０８と、コンテンツアプリケーション６１０と、ＲＯ要請メッセージ生成部６１２と、ＲＯ要請メッセージ送信部６１４と、を含む。
【００４３】
受信部６０２は、送信側端末機２からコンテンツ及びＲＯが結合されたＤＲＭメッセージを受信するか、別に伝送されるコンテンツメッセージ及びＲＯメッセージを各々受信する。
【００４４】
ＤＲＭメッセージ分析部６０４は、受信されたＤＲＭメッセージ、コンテンツメッセージ、ＲＯメッセージを各々分析する。このようなＤＲＭメッセージ分析部６０４は、コンテンツ及びＲＯが結合されたＤＲＭメッセージが受信されると、そのＤＲＭメッセージを分析して、コンテンツはコンテンツデコーディング部６０６に出力し、ＲＯ情報はＲＯ情報分析部６０８に出力する。そして、ＤＲＭメッセージ分析部６０４は、コンテンツメッセージが受信されると、コンテンツをコンテンツデコーディング部６０６に出力し、ＲＯ要請メッセージ生成部６１２にＲＯ要請メッセージを生成するように指示する。そして、ＤＲＭメッセージ分析部６０４は、ＲＯメッセージが受信されると、そのメッセージを分析してＲＯ情報をＲＯ情報分析部６０８に提供する。
【００４５】
コンテンツデコーディング部６０６は、特定のフォーマットにエンコーディングされたコンテンツを本来のコンテンツフォーマットにデコーディングして出力する。ＲＯ情報分析部６０８は、ＲＯ情報を分析してコンテンツの使用権限情報を把握する。例えば、コンテンツをどのぐらい使うことができるか、何回伝送することができるか、何回使用することができるかに関する使用権限情報を確認する。
【００４６】
コンテンツアプリケーション６１０は、コンテンツデコーディング部６０６によりデコーディングされたコンテンツを受信し、ＲＯ情報分析部６０８により分析された使用権限情報を利用してその使用権限によりコンテンツを利用する。
【００４７】
ＲＯ要請メッセージ生成部６１２は、予め受信されたコンテンツに関するＲＯ情報が必要である場合に、それについてのＲＯ情報を要請するメッセージを生成する。ＲＯ要請メッセージ送信部６１４は、ＲＯ要請メッセージを送信側端末機２に伝送する。それでは、送信側端末機２は、ＲＯ情報要請メッセージによって該当コンテンツに関するＲＯ情報を生成して受信側端末機４に伝送するようになる、これによって、ＤＲＭメッセージ受信機は、ＲＯ情報を受信して該当コンテンツに関する使用権限情報を確認し、その使用権限情報によって該当コンテンツを利用する。
【００４８】
図７は、本発明の実施形態によるデジタルコンテンツ権限管理装置のＤＲＭメッセージ受信方法を示すフローチャートである。
【００４９】
図７を参照すれば、ＤＲＭメッセージ受信機は、ステップＳ７０２で、送信側端末機２からのＤＲＭメッセージを受信する。この時、ＤＲＭメッセージ受信機は、送信側端末機２からコンテンツ及びＲＯが結合されたＤＲＭメッセージを受信するか、別に伝送されるコンテンツメッセージ及びＲＯメッセージを各々受信する。そして、ＤＲＭメッセージ受信機は、ステップＳ７０４で、ＤＲＭメッセージを分析する。すなわち、ＤＲＭメッセージ分析部６０４は、受信されたＤＲＭメッセージがコンテンツ及びＲＯが結合されたＤＲＭメッセージであれば、そのＤＲＭメッセージを分析してコンテンツ及びＲＯ情報を分離し、受信されたＤＲＭメッセージがコンテンツとＲＯが分離されて構成されたＤＲＭメッセージであれば、各コンテンツメッセージ及びＲＯメッセージを分析する。
【００５０】
該分析の結果、ＤＲＭメッセージ受信機は、ステップＳ７０６で、ＤＲＭメッセージにＲＯ情報が含まれているか否か判断する。もし、ＲＯ情報が含まれていれば、ＤＲＭメッセージ受信機は、ステップＳ７０８で、該当コンテンツのＲＯ情報を分析する。すなわち、ＤＲＭメッセージ受信機は、該当コンテンツのＲＯ情報を分析してそのコンテンツの使用期限、使用回数、伝送回数などのような使用権限を認識する。そして、ＤＲＭメッセージ受信機は、ステップＳ７１０で、ＲＯ情報(使用権限)によって該当コンテンツを利用する。
【００５１】
一方で、ＤＲＭメッセージ受信機は、受信されたＤＲＭメッセージにＲＯ情報が含まれていなければ、ステップＳ７１２で、該当コンテンツに関するＲＯ要請メッセージを生成する。そして、ＤＲＭメッセージ受信機は、ステップＳ７１４で、送信側端末機２にＲＯ要請メッセージを伝送する。それでは、送信側端末機２は、ＲＯ要請メッセージによって該当ＲＯ情報に関するＲＯメッセージを受信側端末機４に伝送するようになる。受信側端末機４のＤＲＭメッセージ受信機は、ステップＳ７１６で、このような送信側端末機２からのＲＯメッセージを受信してそのＲＯメッセージを分析する。このとき、ＤＲＭメッセージ受信機は、該当コンテンツのＲＯ情報を分析してそのコンテンツの使用期限、使用回数、伝送回数などのような使用権限を認識する。そして、ＤＲＭメッセージ受信機は、ステップＳ７１８で、ＲＯ情報(使用権限)によって該当コンテンツを利用する。
【００５２】
したがって、本発明は、送信側端末機２のユーザーが使用権限を利用して自分が保護したいコンテンツを他人の受信側端末機４に伝送した後にもそのコンテンツの使用について権利を行使するようにことができる。
【００５３】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００５４】
【図１】本発明の実施形態による移動通信端末機間のデジタルコンテンツ送受信システムを簡単に示す構成図である。
【図２】本発明の実施形態によるデジタルコンテンツ権限管理装置のＤＲＭメッセージ送信機を示すブロック構成図である。
【図３】本発明の実施形態によるデジタルコンテンツ権限管理装置のＤＲＭメッセージ送信過程を示すフローチャートである。
【図４】本発明の第１の実施形態によるＤＲＭメッセージを示す構成図である。
【図５】本発明の第２の実施形態によるＤＲＭメッセージを示す構成図である。
【図６】本発明の実施形態によるデジタルコンテンツ権限管理装置のＤＲＭメッセージ受信機を示すブロック構成図である。
【図７】本発明の実施形態によるデジタルコンテンツ権限管理装置のＤＲＭメッセージ受信過程を示すフローチャートである。
【符号の説明】
【００５５】
２００  ＲＯ要請メッセージ受信部
２０２  コンテンツ選択部
２０４  コンテンツエンコーディング部
２０６  ＲＯエージェント
２０８  ＲＯ情報生成部
２１０  ＤＲＭメッセージ生成部
２１２  コンテンツメッセージ生成部
２１４  ＲＯメッセージ生成部
２１６  送信部
【図１】
2006146903.tif 000003
【図２】
2006146903.tif 000004
【図３】
2006146903.tif 000005
【図４】
2006146903.tif 000006
【図５】
2006146903.tif 000007
【図６】
2006146903.tif 000008
【図７】
2006146903.tif 000009